(57)【特許請求の範囲】
【請求項１】
受信機において電力削減を達成する集積回路であって、
干渉レベルを判断する妨害波検出器（jammer detector）と、
前記受信機内の要素のプロセスコーナーを判断するプロセスモニタと、前記受信機の温度を判断する温度モニタとの少なくともいずれか一方と、
第１動作条件と第２動作条件との組が満たされた場合に、前記受信機を高線形性モードから低線形性モードに移行させるステートマシンと
を備え、
前記第１動作条件は、
前記干渉レベルが閾値より小さいことであり、
前記第２動作条件は、
前記受信機の前記要素が、定義された標準的／高速のプロセスコーナーの範囲内にあるプロセスコーナーに対応するときは、前記受信機の温度が、定義された通常温度範囲内もしくは前記定義された通常温度範囲外にあること、または、
前記受信機の前記要素が、前記定義された標準的／高速のプロセスコーナーの範囲外にあるプロセスコーナーに対応するときは、前記受信機の温度が、前記定義された通常温度範囲内にあること、である、集積回路。
【請求項２】
前記ステートマシンは、前記受信機が前記高線形性モードから前記低線形性モードへ移行する際に、前記受信機の少なくともいくつかの要素内の電流を低減する電流低減要素を備える、請求項１の集積回路。
【請求項３】
前記ステートマシンは、前記受信機が前記高線形性モードから前記低線形性モードへ移行する際に、前記受信機の少なくともいくつかの要素を、高電圧電源から低電圧電源に切り替える電源切り替え要素を備える、請求項１の集積回路。
【請求項４】
前記ステートマシンは、前記受信機が前記高線形性モードから前記低線形性モードへ移行する際に、前記受信機によって使用される少なくとも一つの電源の電圧を低減する電源再設定要素を備える、請求項１の集積回路。
【請求項５】
送信機において電力削減を達成する集積回路であって、
送信信号についての必要な送信電力レベルを判断する送信電力検出器と、
前記送信機内の要素のプロセスコーナーを判断するプロセスモニタと、前記送信機の温度を判断する温度モニタとの少なくともいずれか一方と、
第１動作条件と第２動作条件との組が満たされた場合に、前記送信機を高電力モードから低電力モードに移行させるステートマシンと
を備え、
前記第１動作条件は、
前記必要な送信電力レベルが閾値より小さいことであり、
前記第２動作条件は、
前記送信機の前記要素が、定義された標準的／高速のプロセスコーナーの範囲内にあるプロセスコーナーに対応するときは、前記送信機の温度が、定義された通常温度範囲内もしくは前記定義された通常温度範囲外にあること、または、
前記送信機の前記要素が、前記定義された標準的／高速のプロセスコーナーの範囲外にあるプロセスコーナーに対応するときは、前記送信機の温度が、前記定義された通常温度範囲内にあること、である、集積回路。
【請求項６】
前記ステートマシンは、前記送信機が前記高電力モードから前記低電力モードへ移行する際に、前記送信機の少なくともいくつかの要素内の電流を低減する電流低減要素を備える、請求項５の集積回路。
【請求項７】
前記ステートマシンは、前記送信機が前記高電力モードから前記低電力モードへ移行する際に、前記送信機の少なくともいくつかの要素を、高電圧電源から低電圧電源に切り替える電源切り替え要素を備える、請求項５の集積回路。
【請求項８】
前記ステートマシンは、前記送信機が前記高電力モードから前記低電力モードへ移行する際に、前記送信機によって使用される少なくとも一つの電源の電圧を低減する電源再設定要素を備える、請求項５の集積回路。
【請求項９】
受信機において電力削減を達成する方法であって、
干渉レベルを判断することと、
前記受信機内の要素のプロセスコーナーを判断することと、前記受信機の温度を判断することの少なくともいずれか一方と、
第１動作条件と第２動作条件との組が満たされた場合に、前記受信機を高線形性モードから低線形性モードへ移行させることと
を備え、
前記第１動作条件は、
前記干渉レベルが閾値より小さいことであり、
前記第２動作条件は、
前記受信機の前記要素が、定義された標準的／高速のプロセスコーナーの範囲内にあるプロセスコーナーに対応するときは、前記受信機の温度が、定義された通常温度範囲内もしくは前記定義された通常温度範囲外にあること、または、
前記受信機の前記要素が、前記定義された標準的／高速のプロセスコーナーの範囲外にあるプロセスコーナーに対応するときは、前記受信機の温度が、前記定義された通常温度範囲内にあること、である、方法。
【請求項１０】
前記受信機を前記高線形性モードから前記低線形性モードへ移行させることは、前記受信機の少なくともいくつかの要素内の電流を低減することを備える、請求項９の方法。
【請求項１１】
前記受信機を前記高線形性モードから前記低線形性モードへ移行させることは、前記受信機の少なくともいくつかの要素を、高電圧電源から低電圧電源に切り替えることを備える、請求項９の方法。
【請求項１２】
前記受信機を前記高線形性モードから前記低線形性モードへ移行させることは、前記受信機によって使用される少なくとも一つの電源の電圧を低減することを備える、請求項９の方法。
【請求項１３】
送信機において電力削減を達成する方法であって、
送信信号についての必要な送信電力レベルを判断することと、
前記送信機内の要素のプロセスコーナーを判断することと、前記送信機の温度を判断することの少なくともいずれか一方と、
第１動作条件と第２動作条件との組が満たされた場合に、前記送信機を高電力モードから低電力モードへ移行させることと
を備え、
前記第１動作条件は、
前記必要な送信電力レベルが閾値より小さいことであり、
前記第２動作条件は、
前記送信機の前記要素が、定義された標準的／高速のプロセスコーナーの範囲内にあるプロセスコーナーに対応するときは、前記送信機の温度が、定義された通常温度範囲内もしくは前記定義された通常温度範囲外にあること、または、
前記送信機の前記要素が、前記定義された標準的／高速のプロセスコーナーの範囲外にあるプロセスコーナーに対応するときは、前記送信機の温度が、前記定義された通常温度範囲内にあること、である、方法。
【請求項１４】
前記高電力モードから前記低電力モードへ移行させることは、前記送信機の少なくともいくつかの要素内の電流を低減することを備える、請求項１３の方法。
【請求項１５】
前記高電力モードから前記低電力モードへ移行させることは、前記送信機の少なくともいくつかの要素を、高電圧電源から低電圧電源に切り替えることを備える、請求項１３の方法。
【請求項１６】
前記高電力モードから前記低電力モードへ移行させることは、前記送信機によって使用される少なくとも一つの電源の電圧を低減することを備える、請求項１３の方法。
【請求項１７】
受信機において電力削減を達成する装置であって、
干渉レベルを判断する手段と、
前記受信機内の要素のプロセスコーナーを判断する手段と、前記受信機の温度を判断する手段との少なくともいずれか一方と、
第１動作条件と第２動作条件との組が満たされた場合に、前記受信機を高線形性モードから低線形性モードへ移行させる手段と
を備え、
前記第１動作条件は、
前記干渉レベルが閾値より小さいことであり、
前記第２動作条件は、
前記受信機の前記要素が、定義された標準的／高速のプロセスコーナーの範囲内にあるプロセスコーナーに対応するときは、前記受信機の温度が、定義された通常温度範囲内もしくは前記定義された通常温度範囲外にあること、または、
前記受信機の前記要素が、前記定義された標準的／高速のプロセスコーナーの範囲外にあるプロセスコーナーに対応するときは、前記受信機の温度が、前記定義された通常温度範囲内にあること、である、装置。
【請求項１８】
前記受信機を前記高線形性モードから前記低線形性モードへ移行させる手段は、前記受信機の少なくともいくつかの要素内の電流を低減する手段を備える、請求項１７の装置。
【請求項１９】
前記受信機を前記高線形性モードから前記低線形性モードへ移行させる手段は、前記受信機の少なくともいくつかの要素を、高電圧電源から低電圧電源に切り替える手段を備える、請求項１７の装置。
【請求項２０】
前記受信機を前記高線形性モードから前記低線形性モードへ移行させる手段は、前記受信機によって使用される少なくとも一つの電源の電圧を低減する手段を備える、請求項１７の装置。
【請求項２１】
前記装置は集積回路である、請求項１７の装置。
【請求項２２】
送信機において電力削減を達成する装置であって、
送信信号についての必要な送信電力レベルを判断する手段と、
前記送信機内の要素のプロセスコーナーを判断する手段と、前記送信機の温度を判断する手段との少なくともいずれか一方と、
第１動作条件と第２動作条件との組が満たされた場合に、前記送信機を高電力モードから低電力モードへ移行させる手段と
を備え、
前記第１動作条件は、
前記必要な送信電力レベルが閾値より小さいことであり、
前記第２動作条件は、
前記送信機の前記要素が、定義された標準的／高速のプロセスコーナーの範囲内にあるプロセスコーナーに対応するときは、前記送信機の温度が、定義された通常温度範囲内もしくは前記定義された通常温度範囲外にあること、または、
前記送信機の前記要素が、前記定義された標準的／高速のプロセスコーナーの範囲外にあるプロセスコーナーに対応するときは、前記送信機の温度が、前記定義された通常温度範囲内にあること、である、装置。
【請求項２３】
前記高電力モードから前記低電力モードへ移行させる手段は、前記送信機の少なくともいくつかの要素内の電流を低減する手段を備える、請求項２２の装置。
【請求項２４】
前記高電力モードから前記低電力モードへ移行させる手段は、前記送信機の少なくともいくつかの要素を、高電圧電源から低電圧電源に切り替える手段を備える、請求項２２の装置。
【請求項２５】
前記高電力モードから前記低電力モードへ移行させる手段は、前記送信機によって使用される少なくとも一つの電源の電圧を低減する手段を備える、請求項２２の装置。
【請求項２６】
前記装置は集積回路である、請求項２２の装置。
【請求項２７】
受信機において電力削減を達成する、そこに命令を保持するコンピュータ読み取り可能な記憶媒体であって、前記命令は、
干渉レベルを判断するためのコードと、
前記受信機内の要素のプロセスコーナーを判断するためのコードと、前記受信機の温度を判断するためのコードとの少なくともいずれか一方と、
第１動作条件と第２動作条件との組が満たされた場合に、前記受信機を高線形性モードから低線形性モードへ移行させるためのコードと
を備え、
前記第１動作条件は、
前記干渉レベルが閾値より小さいことであり、
前記第２動作条件は、
前記受信機の前記要素が、定義された標準的／高速のプロセスコーナーの範囲内にあるプロセスコーナーに対応するときは、前記受信機の温度が、定義された通常温度範囲内もしくは前記定義された通常温度範囲外にあること、または、
前記受信機の前記要素が、前記定義された標準的／高速のプロセスコーナーの範囲外にあるプロセスコーナーに対応するときは、前記受信機の温度が、前記定義された通常温度範囲内にあること、である、記憶媒体。
【請求項２８】
送信機において電力削減を達成する、そこに命令を保持するコンピュータ読み取り可能な記憶媒体であって、前記命令は、
送信信号についての必要な送信電力レベルを判断するためのコードと、
前記送信機内の要素のプロセスコーナーを判断するためのコードと、前記送信機の温度を判断するためのコードとの少なくともいずれか一方と、
第１動作条件と第２動作条件との組が満たされた場合に、前記送信機を高電力モードから低電力モードへ移行させるためのコードと
を備え、
前記第１動作条件は、
前記必要な送信電力レベルが閾値より小さいことであり、
前記第２動作条件は、
前記送信機の前記要素が、定義された標準的／高速のプロセスコーナーの範囲内にあるプロセスコーナーに対応するときは、前記送信機の温度が、定義された通常温度範囲内もしくは前記定義された通常温度範囲外にあること、または、
前記送信機の前記要素が、前記定義された標準的／高速のプロセスコーナーの範囲外にあるプロセスコーナーに対応するときは、前記送信機の温度が、前記定義された通常温度範囲内にあること、である、記憶媒体。
【発明の詳細な説明】
【技術分野】
【０００１】
本開示は概して無線通信システムに関する。より具体的には、本開示は、送受信機において電力を削減する方法及び装置に関する。
【背景技術】
【０００２】
無線通信デバイスは、消費者のニーズを満たし、そして携帯性及び利便性を向上させるため、小さく、そしてより高性能になってきている。消費者は、携帯電話、携帯情報端末（ＰＤＡ）、ラップトップコンピュータなどのような無線通信デバイスに頼るようになってきている。消費者は、信頼できるサービス、拡張されたサービスエリア、及び機能の増大を期待するようになってきている。無線通信システムでユーザに使用される無線通信デバイスは、移動局（mobile station）、加入者局、アクセス端末、リモート局、ユーザ端末、端末、加入者ユニット、ユーザ装置等と呼ばれ得る。本明細書では、用語“移動局”が用いられる。
【０００３】
無線通信システムは、それぞれが基地局によってサービスを提供され得る複数のセルに通信を提供し得る。基地局は、移動局と通信する固定局であり得る。基地局は、代わりにアクセスポイント、ノードＢ、またはいくつかのその他の専門用語で呼ばれることがある。
【０００４】
移動局は、アップリンク及びダウンリンク上の伝送を介して、一つまたはそれ以上の基地局と通信し得る。アップリンク（またはリバースリンク）は、移動局から基地局への通信リンクを指し、ダウンリンク（フォワードリンク）は、基地局から移動局への通信リンクへの通信リンクを指す。無線通信システムは同時に、複数の移動局についての通信をサポートし得る。
【０００５】
用語“送受信機”は、送信機と受信機の組み合わせを指す。移動局は、一つまたはそれ以上の送受信機を含み得る。移動局内の送受信機の送信機部は、アップリンクを介して基地局へ信号を送信するために用いられ得る。移動局内の送受信機の受信機部は、ダウンリンクを介して基地局から信号を受信するために用いられ得る。
【０００６】
同様に、基地局は一つまたはそれ以上の送受信機を含み得る。基地局内の送受信機の送信機部は、ダウンリンクを介して移動局へ信号を送信するために用いられ得る。基地局内の送受信機の受信機部は、アップリンクを介して移動局から信号を受信するために用いられ得る。
【図面の簡単な説明】
【０００７】
【図１】図１は、本開示に従って電力削減を達成するように動作し得る送受信機集積回路内の種々の機能ブロックの例を例示する。
【図２】図２は、図１に示す集積回路の受信機に関するステートマシンの動作を要約する真理値表の例を例示する。
【図３】図３は、図１に示す集積回路の送信機に関するステートマシンの動作を要約する真理値表の例を例示する。
【図４】図４は、ステートマシンがどのようにして受信機を高線形性モードから低線形性モードに移行させるか、及びステートマシンがどのようにして送信機を高電力モードから低電力モードに移行させるかを示す例を例示する。
【図５】図５は、本開示に従った送信機における電力削減を達成するための方法と共に、本開示に従った受信機における電力削減を達成するための方法の例を例示する。
【図６】図６は、図５の方法に対応するミーンズプラスファンクション・ブロックを例示する。
【図７】図７は、本開示に従った電源切り替えスキームの例を例示する。
【図８】図８は、本開示に従った電源低減スキームの例を例示する。
【図９】図９は、無線デバイスで使用され得る種々の要素を例示する。
【発明を実施するための形態】
【０００８】
本開示は概して送受信機に関し、より具体的には送受信機における電力削減に関する。いくつかの既存の送受信機は、より悪い動作条件を満足するように設計される。これは、受信信号が非常に弱い場合、深刻な量の干渉がある場合、及び送信出力電力が比較的高い場合などの、特定の状況下では有益であり得る。しかしながら、より悪い動作条件をいつも満足するように設計された送受信機は、好ましい動作条件下では不要な電力を消費し得る。
【０００９】
本開示は、現在の動作条件が好ましい（favorable）かまたは好ましくないかに基づいて送受信機が最適な電力を消費する（すなわち、動作条件が好ましい場合には、好ましくない時より、より少ない電力が消費される）ように現在の動作条件に適合する、インテリジェント送受信機に関する。
【００１０】
“Dynamically Programmable Receiver”と表題され、干渉量に基づいて受信機の特定の回路で使用される電流量を調整するインテリジェント受信機について述べた米国特許７，１３０，６０２（‘６０２特許）が認められる。この‘６０２特許は、本開示の譲受人に譲渡される。
【００１１】
送受信機において電力削減を達成することに関して考慮すべき一つの要因は、送受信機要素の動作特性に関する。製造プロセスのばらつきの結果として、種々の送受信機要素は異なる動作特性を持って製造される。用語“プロセスコーナー（process corner）”は概して、集積回路の製造に含まれるプロセスに関する特定の条件（condition）の組を指す。より具体的には、プロセスコーナーは、プロセスパラメータの極端なものの組み合わせである。
【００１２】
プロセスコーナーには種々のタイプのものがあり、高速のプロセスコーナー（fast process corner）、標準的なプロセスコーナー（typical process corner）、及び遅いプロセスコーナー（slow process corner）が含まれる。もし集積回路内の要素が高速のプロセスコーナーに対応する場合、この集積回路内の要素は、期待を超える性能レベルを有する。反対に、集積回路内の要素が遅いプロセスコーナーに対応する場合、集積回路内の要素は、期待に満たない性能レベルを有する。集積回路内の要素が標準的なプロセスコーナーに対応する場合、集積回路内の要素は、ほぼ期待された性能レベルを有する。
【００１３】
送受信機が大量に製造される際、この送受信機のいくつかは、遅いプロセスコーナーに対応する要素を有することになるだろう。これらの送受信機は、適切に機能するためには、標準的または高速のプロセスコーナーに対応する要素を持つものよりも多くの電流量を必要とするだろう。遅いプロセスコーナーに対応する要素を有する送受信機の割合は比較的小さいが、これらの送受信機を単純に破棄することは概してコスト効率が良くない。このため、全ての送受信機（標準的及び高速のプロセスコーナーに対応する要素を有する送受信機を含む）における電力損失は、本明細書で述べられる技術無しでは増大するだろう。これは、送受信機の電力消費の著しい増大という結果になるだろう。
【００１４】
送受信機における電力削減を達成することに関して考慮すべき別の要因は、送受信機が現在動作している温度に関する。いくつかの送受信機は、非常な高温においても的確に動作するように設計され得る（事実、これは多くの既存の規格の要求である）。しかしながら送受信機は、一般的な動作に際しては、そのような高温を経験しないだろう。
【００１５】
本明細書で述べられる電力削減技術は、送受信機の要素が遅いプロセスコーナーに対応するか否かを考慮に入れ得る。あるいは、または更に、本明細書で述べられる電力削減技術は、送受信機が現在動作している温度を考慮に入れ得る。
【００１６】
本開示によれば、受信機において電力削減を達成する集積回路は、干渉レベルを判断する妨害波検出器（jammer detector）を含み得る。集積回路はまた、受信機内の要素のプロセスコーナーを判断するプロセスモニタと、受信機の温度を判断する温度モニタとの少なくともいずれか一方を含み得る。集積回路はまた、動作条件の組が満たされた場合に、受信機を高線形性モードから低線形性モードに移行させるステートマシンを含み得る。動作条件の組は、干渉レベルと、受信機内の要素のプロセスコーナーと受信機の温度との少なくともいずれか一方と、に依存し得る。
【００１７】
本開示によれば、送信機において電力削減を達成する集積回路は、送信信号についての必要な送信電力レベルを判断する送信電力検出器を含み得る。集積回路はまた、送信機内の要素のプロセスコーナーを判断するプロセスモニタと、送信機の温度を判断する温度モニタとの少なくともいずれか一方を含み得る。集積回路はまた、動作条件の組が満たされた場合に、送信機を高電力モードから低電力モードに移行させるステートマシンを含み得る。動作条件の組は、送信電力レベルと、送信機内の要素のプロセスコーナーと送信機の温度との少なくともいずれか一方と、に依存し得る。
【００１８】
本開示によれば、受信機において電力削減を達成する方法は、干渉レベルを判断することを含み得る。方法はまた、受信機内の要素のプロセスコーナーを判断することと、受信機の温度を判断することとの少なくともいずれか一方を含み得る。方法はまた、動作条件の組が満たされた場合に、受信機を高線形性モードから低線形性モードへ移行させることを含み得る。動作条件の組は、干渉レベルと、受信機内の要素のプロセスコーナーと受信機の温度との少なくともいずれか一方と、に依存し得る。
【００１９】
本開示によれば、送信機において電力削減を達成する方法は、送信信号についての必要な送信電力レベルを判断することを含み得る。方法はまた、送信機内の要素のプロセスコーナーを判断することと、送信機の温度を判断することとの少なくともいずれか一方を含み得る。方法はまた、動作条件の組が満たされた場合に、送信機を高電力モードから低電力モードへ移行させることを含み得る。動作条件の組は、必要な送信電力レベルと、送信機内の要素のプロセスコーナーと送信機の温度との少なくともいずれか一方と、に依存し得る。
【００２０】
本開示によれば、受信機において電力削減を達成する装置は、干渉レベルを判断する手段を含み得る。装置はまた、受信機内の要素のプロセスコーナーを判断する手段と、受信機の温度を判断する手段との少なくともいずれか一方を含み得る。装置はまた、動作条件の組が満たされた場合に、受信機を高線形性モードから低線形性モードへ移行させる手段を含み得る。動作条件の組は、干渉レベルと、受信機内の要素のプロセスコーナーと受信機の温度との少なくともいずれか一方と、に依存し得る。
【００２１】
本開示によれば、送信機において電力削減を達成する装置は、送信信号についての必要な送信電力レベルを判断する手段を含み得る。装置はまた、送信機内の要素のプロセスコーナーを判断する手段と、送信機の温度を判断する手段との少なくともいずれか一方を含み得る。装置はまた、動作条件の組が満たされた場合に、送信機を高電力モードから低電力モードへ移行させる手段を含み得る。動作条件の組は、必要な送信電力レベルと、送信機内の要素のプロセスコーナーと送信機の温度との少なくともいずれか一方と、に依存し得る。
【００２２】
本開示によれば、受信機において電力削減を達成するコンピュータプログラム製品は、そこに命令を保持するコンピュータ読み取り可能な媒体を含み得る。命令は、干渉レベルを判断するためのコードを含み得る。命令はまた、受信機内の要素のプロセスコーナーを判断するためのコードと、受信機の温度を判断するためのコードとの少なくともいずれか一方を含み得る。命令はまた、動作条件の組が満たされた場合に、受信機を高線形性モードから低線形性モードへ移行させるためのコードを含み得る。動作条件の組は、干渉レベルと、受信機内の要素のプロセスコーナーと受信機の温度との少なくともいずれか一方と、に依存し得る。
【００２３】
本開示によれば、送信機において電力削減を達成するコンピュータプログラム製品は、そこに命令を保持するコンピュータ読み取り可能な媒体を含み得る。命令は、送信信号についての必要な送信電力レベルを判断するためのコードを含み得る。命令はまた、送信機内の要素のプロセスコーナーを判断するためのコードと、送信機の温度を判断するためのコードとの少なくともいずれか一方を含み得る。命令はまた、動作条件の組が満たされた場合に、送信機を高電力モードから低電力モードへ移行させるためのコードを含み得る。動作条件の組は、必要な送信電力レベルと、送信機内の要素のプロセスコーナーと送信機の温度との少なくともいずれか一方と、に依存し得る。
【００２４】
図１は、本開示に従って電力削減を達成するように動作し得る送受信機集積回路１００内の種々の機能ブロックの例を例示する。送受信機集積回路１００は、受信機１０２と共に、及び送信機１０４と共に示されている。
【００２５】
電力削減は、受信機１０２の動作に関して、及び送信機１０４の動作に関しても得られ得る。受信機１０２の動作に関して電力削減を達成するための技術の例が、まず述べられる。
【００２６】
受信機１０２は、通信チャネルを介して無線通信信号１０６を受信する。妨害波検出器（jammer detector）１０８は、この通信チャネルに存在する干渉の現在のレベルを判断し得る。本明細書で使用される際、用語“干渉”は広く解釈されるべきであり、受信信号１０６に関する品質低下を受信機１０２に及ぼす、受信信号１０６とその他の信号との間のあらゆる相互作用を指す。あるケースでは、干渉によって受信機は受信信号１０６の全てを失うことがある。
【００２７】
妨害波検出器１０８は、干渉のレベルが閾値１１６を超えているか否かを示す信号１１４を出力し得る。この信号１１４は、本明細書では干渉レベル信号１１４と呼ばれ得る。
【００２８】
プロセスモニタ１１０は、受信機１０２内の要素が、遅いプロセスコーナーとは逆に標準的または高速のプロセスコーナーに対応するか否かを判断するため、受信機１０２をモニタし得る。受信機１０２内の要素が標準的または高速のプロセスコーナーに対応していれば、受信機１０２の要素の動作特性は、期待されるものを満たすまたは超える性能レベルを有する。しかしながら、受信機１０２内の要素が遅いプロセスコーナーに対応する場合、受信機１０２内の要素の動作特性は、期待されるものに達しない性能レベルを有する。プロセスモニタ１１０は、トランジスタモニタ、抵抗−キャパシタモニタ、及び抵抗モニタを含み得る。
【００２９】
プロセスモニタ１１０は、受信機１０２内の要素が標準的／高速のプロセスコーナーに対応するか否かを示す信号１１８ａを出力し得る。信号１１８ａは、本明細書ではプロセスコーナー信号１１８ａと呼ばれ得る。より具体的には、標準的または高速のプロセスコーナーと判断される（すなわち、遅いプロセスコーナーではない）、プロセスコーナーの範囲１２２が定義され得る。この範囲１２２は、標準的／高速のプロセスコーナー範囲１２２と呼ばれ得る。プロセスコーナー信号１１８ａは、受信機１０２の要素が、この定義された標準的／高速のプロセスコーナー範囲１２２内のプロセスコーナーに対応するか否かを示し得る。
【００３０】
温度モニタ１１２は、受信機１０２の温度が、定義された通常の温度範囲１２４内にあるか否かを判断するために、受信機１０２をモニタし得る。この通常温度範囲１２４は、受信機１０２の通常動作に対応し得る（例えば、０℃と５５℃の間）。この温度モニタ１１２は、受信機１０２の温度が、この定義された通常温度範囲１２４内にあるか否かを示す信号１２０ａを出力し得る。この信号１２０ａは、温度信号１２０と呼ばれ得る。
【００３１】
受信機１０２は、高線形性（ＨＬ）モード１２６及び低線形性（ＬＬ）モード１２８の少なくとも２つの動作モードで構成され得る。受信機１０２は、好ましくない条件下では高線形性モード１２６で動作し得る。条件がより好ましい場合には、受信機１０２は低線形性モード１２８で動作し得る。受信機１０２は、高線形性モード１２６では、低線形性モード１２８における場合よりも多くの電力を使用し得る。
【００３２】
ステートマシン１３０は、動作条件の組（set of operating conditions）１３２が満足されれば、受信機１０２を高線形性モード１２６から低線形性モード１２８に移行させ得る。この動作条件の組１３２は、第１動作条件１３４及び第２動作条件１３６を含み得る。
【００３３】
第１動作条件１３４は、干渉レベルが、定義された閾値１１６を超えないことであり得る。上記のように、妨害波検出器１０８は、干渉レベルがこの閾値１１６を超えるか否かを示す干渉レベル信号１１４を出力し得る。
【００３４】
第２動作条件１３６は、以下のいずれかが真（true）であること、であり得る。すなわち（１）受信機１０２の要素が、定義された標準的／高速のプロセスコーナー範囲１２２内にあるプロセスコーナーに対応する（すなわち、それらは遅いプロセスコーナーに対応しない）こと、及び／または（２）受信機１０２の温度が、定義された通常温度範囲１２４内にあること。上記の通り、プロセスモニタ１１０は、受信機１０２内の要素が、定義された標準的／高速のプロセスコーナー範囲１２２内にあるか否かを示すプロセスコーナー信号１１８ａを出力し得る。温度モニタ１１２は、受信機１０２の温度が通常温度範囲１２４内にあるか否かを示す温度信号１２０ａを出力し得る。
【００３５】
第１動作条件１３４及び第２動作条件１３６の両方が満たされれば、ステートマシン１３０は、受信機１０２を高線形性モード１２６から低線形性モード１２８に移行させ得る。これは、受信機１０２の種々の要素に制御信号１３８を送信することを含み得る。これらの制御信号１３８は、受信機制御信号１３８と呼ばれ得る。
【００３６】
次に、送信機１０４の動作に関して電力削減を達成するための技術の例が述べられる。これらの技術は、受信機１０２の動作に関して電力削減を達成するために上で述べられた技術と多くの点で同様である。
【００３７】
送信電力検出器１４０は、送信機１０４によって送信される信号１４２に必要な送信電力レベルを判断し得る。送信電力検出器１４０は、送信信号１４２につき必要な送信電力レベルが閾値１４６を超えているか否かを示す信号１４４を出力し得る。この信号１４４は、本明細書では送信電力レベル信号１４４と呼ばれ得る。
【００３８】
プロセスモニタ１１０は、送信機１０４内の要素が、遅いプロセスコーナーとは対照的に標準的または高速のプロセスコーナーに対応するか否かを判断するため、送信機１０４をモニタし得る。このプロセスモニタ１１０は、送信機１０４内の要素が標準的／高速のプロセスコーナーに対応するか否かを示すプロセスコーナー信号１１８ｂを出力し得る。
【００３９】
温度モニタ１１２は、送信機１０４の温度が、定義された通常の温度範囲１２４内にあるか否かを判断するために、送信機１０４をモニタし得る。この温度モニタ１１２は、送信機１０４の温度が、この定義された通常温度範囲１２４内にあるか否かを示す信号１２０ｂを出力し得る。
【００４０】
送信機１０４は、高電力（ＨＰ）モード１４８及び低電力（ＬＰ）モード１５０の少なくとも２つの動作モードで構成され得る。送信機１０４は、好ましくない条件下では高電力モード１４８で動作し得る。条件がより好ましい場合には、送信機１０４は低電力モード１５０で動作し得る。その名が示すように、送信機１０４は、高電力モード１４８では、低電力モード１５０における場合よりも多くの電力を使用し得る。
【００４１】
ステートマシン１３０は、動作条件の組１５４が満足されれば、送信機１０４を高電力モード１４８から低電力モード１５０に遷移させ得る。この動作条件の組１５４は、第１動作条件１５６及び第２動作条件１５８を含み得る。
【００４２】
第１動作条件１５６は、送信信号１４２につき必要な送信電力レベルが閾値１４６を超えないことであり得る。上記のように、送信電力検出器１４０は、送信信号１４２につき必要な送信電力レベルが閾値１４６を超えているか否かを示す送信電力レベル信号１４４を出力し得る。
【００４３】
第２動作条件１５８は、以下のいずれかが真（true）であること、であり得る。すなわち（１）送信機１０４の要素が、定義された標準的／高速のプロセスコーナー範囲１２２内にあるプロセスコーナーに対応する（すなわち、それらは遅いプロセスコーナーに対応しない）こと、及び／または（２）送信機１０４の温度が、定義された通常温度範囲１２４内にあること。上記の通りプロセスモニタ１１０は、送信機１０４内の要素が、定義された標準的／高速のプロセスコーナー範囲１２２内にあるか否かを示すプロセスコーナー信号１１８ｂを出力し得る。温度モニタ１１２は、送信機１０４の温度が通常温度範囲１２４内にあるか否かを示す温度信号１２０ｂを出力し得る。
【００４４】
第１動作条件１５６及び第２動作条件１５８の両方が満たされれば、ステートマシン１３０は、送信機１０４を高電力モード１４８から低電力モード１５０に移行させ得る。これは、送信機１０４の種々の要素に制御信号１５２を送信することを含み得る。これらの制御信号１５２は、送信機制御信号１５２と呼ばれ得る。
【００４５】
例示の目的で、図１に示す送受信機集積回路１００は、プロセスモニタ１１０及び温度モニタ１１２の両方を含んでいる。しかし、プロセスモニタ１１０及び温度モニタ１１２の両方が使用されなければならないわけではない。本開示によれば、プロセスモニタ１１０及び／または温度モニタ１１２が使用され得る。
【００４６】
図１では、受信機１０２及び送信機１０４の両方につき、同じプロセスモニタ１１０が使用される。同様に、同じ温度モニタ１１２が受信機１０２及び送信機１０４の両方のために用いられる。しかしながら、このことは本開示の範囲を限定するものと解釈されるべきではない。本開示に従って、受信機１０２及び送信機１０４につき、異なるプロセスモニタ１１０及び／または異なる温度モニタ１１２が使用されてもよい。
【００４７】
図１に示される送受信機集積回路１００は、移動局に実装され得る。あるいは送受信機集積回路１００は、基地局に実装され得る。
【００４８】
図２は、図１に示す集積回路１００の受信機１０２に関するステートマシン１３０の動作を要約する真理値表２６０の例を例示する。
【００４９】
真理値表２６０の最初の行２６２ａに示すように、干渉レベル信号１１４が、干渉レベルが閾値１１６を超えない（すなわち干渉が小さい）ことを示し、プロセスコーナー信号１１８ａが、受信機１０２内の要素が標準的／高速なプロセスコーナーに対応することを示し、そして温度信号１２０ａが、受信機１０２の温度が定義された通常温度範囲１２４内にあることを示す場合、ステートマシン１３０は、受信機１０２を、高線形性モード１２６から低線形性モード１２８に移行させる。
【００５０】
真理値表２６０の２番目の行２６２ｂに示すように、干渉レベル信号１１４が、干渉レベルが閾値１１６を超えない（すなわち干渉が小さい）ことを示し、プロセスコーナー信号１１８ａが、受信機１０２内の要素が標準的／高速なプロセスコーナーに対応することを示し、そして温度信号１２０ａが、受信機１０２の温度が定義された通常温度範囲１２４内に無いことを示す場合、ステートマシン１３０は、受信機１０２を、高線形性モード１２６から低線形性モード１２８に移行させる。
【００５１】
真理値表２６０の３番目の行２６２ｃに示すように、干渉レベル信号１１４が、干渉レベルが閾値１１６を超えない（すなわち干渉が小さい）ことを示し、プロセスコーナー信号１１８ａが、受信機１０２内の要素が遅いプロセスコーナーに対応することを示し、そして温度信号１２０ａが、受信機１０２の温度が定義された通常温度範囲１２４内にあることを示す場合、ステートマシン１３０は、受信機１０２を、高線形性モード１２６から低線形性モード１２８に移行させる。
【００５２】
真理値表２６０の４番目の行２６２ｄに示すように、干渉レベル信号１１４が、干渉レベルが閾値１１６を超えない（すなわち干渉が小さい）ことを示し、プロセスコーナー信号１１８ａが、受信機１０２内の要素が遅いプロセスコーナーに対応することを示し、そして温度信号１２０ａが、受信機１０２の温度が定義された通常温度範囲１２４内に無いことを示す場合、ステートマシン１３０は、受信機１０２を、高線形性モード１２６から低線形性モード１２８に移行させない。
【００５３】
真理値表２６０の５番目の行２６２ｅ、６番目の行２６２ｆ、７番目の行２６２ｇ、及び８番目の行２６２ｈに示すように、干渉レベル信号１１４が、干渉レベルが閾値１１６を超える（すなわち干渉が大きい）ことを示す場合には、プロセスコーナー信号１１８ａまたは温度信号１２０ａの値に関わらず、ステートマシン１３０は、受信機１０２を、高線形性モード１２６から低線形性モード１２８に移行させない。
【００５４】
図３は、図１に示す集積回路１００の送信機１０４に関するステートマシン１３０の動作を要約する真理値表３６４の例を例示する。
【００５５】
真理値表３６４の最初の行３６６ａに示すように、送信電力レベル信号１４４が、送信信号１４２のために必要な送信電力レベルが閾値１４６を超えない（すなわち送信電力が小さい）ことを示し、プロセスコーナー信号１１８ｂが、送信機１０４内の要素が標準的／高速なプロセスコーナーに対応することを示し、そして温度信号１２０ａが、送信機１０４の温度が定義された通常温度範囲１２４内にあることを示す場合、ステートマシン１３０は、送信機１０４を、高電力モード１４８から低電力モード１５０に移行させる。
【００５６】
真理値表３６４の２番目の行３６６ｂに示すように、送信電力レベル信号１４４が、送信信号１４２のために必要な送信電力レベルが閾値１４６を超えない（すなわち送信電力が小さい）ことを示し、プロセスコーナー信号１１８ｂが、送信機１０４内の要素が標準的／高速なプロセスコーナーに対応することを示し、そして温度信号１２０ａが、送信機１０４の温度が定義された通常温度範囲１２４内に無いことを示す場合、ステートマシン１３０は、送信機１０４を、高電力モード１４８から低電力モード１５０に移行させる。
【００５７】
真理値表３６４の３番目の行３６６ｃに示すように、送信電力レベル信号１４４が、送信信号１４２のために必要な送信電力レベルが閾値１４６を超えない（すなわち送信電力が小さい）ことを示し、プロセスコーナー信号１１８ｂが、送信機１０４内の要素が遅いプロセスコーナーに対応することを示し、そして温度信号１２０ａが、送信機１０４の温度が定義された通常温度範囲１２４内にあることを示す場合、ステートマシン１３０は、送信機１０４を、高電力モード１４８から低電力モード１５０に移行させる。
【００５８】
真理値表３６４の４番目の行３６６ｄに示すように、送信電力レベル信号１４４が、送信信号１４２のために必要な送信電力レベルが閾値１４６を超えない（すなわち送信電力が小さい）ことを示し、プロセスコーナー信号１１８ｂが、送信機１０４内の要素が遅いプロセスコーナーに対応することを示し、そして温度信号１２０ａが、送信機１０４の温度が定義された通常温度範囲１２４内に無いことを示す場合、ステートマシン１３０は、送信機１０４を、高電力モード１４８から低電力モード１５０に移行させない。
【００５９】
真理値表３６４の５番目の行３６６ｅ、６番目の行３６６ｆ、７番目の行３６６ｇ、及び８番目の行３６６ｈに示すように、送信電力レベル信号１４４が、送信信号１４２に必要な送信電力レベルが閾値１４６を超える（すなわち送信電力が大きい）ことを示す場合には、プロセスコーナー信号１１８ｂまたは温度信号１２０ｂの値に関わらず、ステートマシン１３０は、送信機１０４を、高電力モード１４８から低電力モード１５０に移行させない。
【００６０】
図４は、ステートマシン１３０がどのようにして受信機１０２を高線形性モード１２６から低線形性モード１２８に移行させるかを示す例を例示する。図４に示す例はまた、ステートマシン１３０がどのようにして送信機１０４を高電力モード１４８から低電力モード１５０に移行させるかも例示する。
【００６１】
電流低減要素４６８は、受信機１０２が高線形性モード１２６から低線形性モード１２８へ移行する際、及び／または送信機１０４が高電力モード１４８から低電力モード１５０へ移行する際に、受信機１０２の種々の要素４７０内の電流を低減し得る。電流が低減される受信機１０２の要素４７０の例は、低ノイズ増幅器、ダウンコンバータ、ベースバンドフィルタ、受信電圧制御発振器、及び受信局部発振器バッファ／分周器を含む。電流が低減され得る送信機１０４の要素４７０の例は、ベースバンドフィルタ、アップコンバータ、駆動増幅器、送信電圧制御発振器、及び送信局部発振器バッファ／分周器を含む。電流低減要素４６８は、一つまたはそれ以上の制御信号４７２をこれらの要素４７０に送信して、この電流の低減を達成し得る。これらの制御信号４７２は、電流低減信号４７２と呼ばれ得る。
【００６２】
受信機１０２及び／または送信機１０４の要素４７０は、複数の電源を使用し得る。図４では、高電圧電源４７６及び低電圧電源４７８が示される。電源切り替え要素４７４は、受信機１０２のある要素（たとえば電圧制御発振器）に対して、受信機１０２が高線形性モード１２６から低線形性モード１２８へ移行する際に、高電圧電源４７６から低電圧電源４７８に切り替えさせ得る。同様に電源切り替え要素４７４は、送信機１０４のある要素（たとえば電圧制御発振器）に対して、送信機１０４が高電力モード１４８から低電力モード１５０へ移行する際に、高電圧電源４７６から低電圧電源４７８に切り替えさせ得る。
【００６３】
電源切り替え要素４７４は、スイッチ４８２に一つまたはそれ以上の制御信号４８０を送信して、高電圧電源４７６から低電圧電源４７８への変更を生じさせ得る。これらの制御信号４８０は、スイッチ起動信号（switch activation signal）４８０と呼ばれ得る。
【００６４】
電源再設定要素４８４は、受信機１０２が高線形性モード１２６から低線形性モード１２８へ移行する際に、ある要素４７０で使用されている電源４７６、４７８の電圧を低減し得る。同様に電源再設定要素４８４は、送信機１０４が高電力モード１４８から低電力モード１５０へ移行する際に、ある要素４７０で使用されている電源４７６、４７８の電圧を低減し得る。言い換えれば、高電圧電源４７６は、その電圧が低減されるように再設定され、低電圧電源４７８もまた、その電圧が低減されるように再設定され得る。
【００６５】
電源４７６、４７８の電圧が低減され得るには多くの方法がある。例えば、電源再設定要素４８４は、電源４７６、４７８の電圧を低減するために、一つまたはそれ以上の信号４８６を送信し得る。これらの制御信号４８６は、再設定信号４８６と呼ばれ得る。図４に示すように、再設定信号４８６は、デジタルシグナルプロセッサ（ＤＳＰ）４７７に送信され、そしてＤＳＰ４７７が電源４７６、４７８を再設定し得る。ＤＳＰ４７７と電源４７６、４７８との間の通信は、シングルワイヤシリアルバスインターフェース（single wire serial bus interface：ＳＳＢＩ）を介して行われ得る。別の例では、一つまたはそれ以上のアナログの電圧リファレンスが与えられてもよい。
【００６６】
図４の動作のいくつかまたは全ては、受信機１０２が高線形性モード１２６から低線形性モード１２８へ移行する際に実行され得る。言い換えれば、受信機１０２が高線形性モード１２６から低線形性モード１２８へ移行する際に、受信機１０２の種々の要素４７０内の電流が低減され、及び／または受信機１０２の要素４７０のいくつかまたは全てが低電圧電源４７８に切り替えられ、及び／または電源４７６、４７８の電圧が低減され得る。同様にして、図４に示す動作のいくつかまたは全ては、送信機１０４が高電力モード１４８から低電力モード１５０に移行する際に実行され得る。
【００６７】
図５は、本開示に従った受信機１０２における電力削減を達成するための方法５００の例を例示する。
【００６８】
上記のように、受信機１０２は、通信チャネルを介して無線通信信号１０６を受信し得る。この通信チャネルに存在する干渉の現在のレベルが判断され得る（５０２）。より具体的には、干渉のレベルが閾値１１６を超えているか否かが判断され得る（５０２）。
【００６９】
更に、受信機１０２内の要素が、遅いプロセスコーナーとは対照的な標準的または高速のプロセスコーナーに対応するか否かが判断され得る（５０４）。より具体的には、受信機１０２の要素が、定義された標準的／高速のプロセスコーナーの範囲１２２内にあるプロセスコーナーに対応するか否かが判断され得る（５０４）。あるいは、または更に、受信機１０２の温度が、定義された通常温度範囲１２４内にあるか否かを判断してもよい（５０６）。
【００７０】
動作条件の組１３２が満足されれば、受信機１０２は高線形性モード１２６から低線形性モード１２８へ移行し得る。上で議論したように、この動作条件の組１３２は、第１動作条件１３４及び第２動作条件１３６を含み得る。第１動作条件１３４は、干渉のレベルが、定義された閾値１１６を超えない、ということであり得る。第２動作条件１３６は、以下のいずれかが真（true）であるか、ということであり得る。すなわち（１）受信機１０２の要素が、定義された標準的／高速のプロセスコーナー範囲１２２内にあるプロセスコーナーに対応する（すなわち、それらは遅いプロセスコーナーに対応しない）こと、及び／または（２）受信機１０２の温度が、定義された通常温度範囲１２４内にあること、である。
【００７１】
動作条件の組１３２が満足されないと判断されれば（５０８）、受信機１０２は高線形性モード１２６から低線形性モード１２８へは移行しない。言い換えれば、（受信機１０２がはじめに高線形性モード１２６であると仮定して）受信機１０２は、高線形性モード１２６に留まる（５１０）。
【００７２】
しかしながら、動作条件の組１３２が満足されれば（５０８）、受信機１０２は高線形性モード１２６から低線形性モード１２８へ移行する。これは、受信機１０２の種々の要素４７０内の電流を低減すること（５１２）、を含み得る。あるいは、または更に、高線形性モード１２６から低線形性モード１２８への移行は、受信機１０２のある要素４７０に対して高電圧電源４７６から低電圧電源４７８への切り替えさせること（５１４）、を含み得る。あるいは、または更に、高線形性モード１２６から低線形性モード１２８への移行は、受信機１０２のある要素４７０で使用されている一つまたはそれ以上の電源４７６、４７８の電圧を低減すること（５１６）、を含み得る。
【００７３】
図５はまた、本開示に従った送信機１０４における電力削減を達成するための方法５００の例を例示する。送信機１０４において電力削減を達成する方法５００は、以下を除いては、受信機１０２で電力削減を達成する方法５００と同様である。
【００７４】
送信機１０４で電力削減を達成する方法５００では、（干渉レベルの判断５０２の代わりに）送信機１０４によって送信される信号１４２につき必要な送信電力レベルが判断される（５１８）。
【００７５】
ステートマシン１３０は、動作条件の組１５４が満足されれば、送信機１０４を高電力モード１４８から低電力モード１５０に遷移させ得る。この動作条件の組１５４は、第１動作条件１５６が、送信信号１４２につき必要な送信電力レベルが閾値１４６を超えないことであり得ることを除いては、受信機１０２についての動作条件の組１３２と同様であり得る。
【００７６】
上記説明した図５の方法５００は、図６に例示したミーンズプラスファンクション（means-plus-function）・ブロック６００に対応する、種々のハードウェア、及び／またはソフトウェア要素、及び／またはモジュールで実施され得る。言い換えれば、図５のブロック５０２〜５１８は、図６に例示されたミーンズプラスファンクション・ブロック６０２〜６１８に対応する。
【００７７】
図７は、本開示に従った電源切り替えスキームの例を例示する。より具体的には、図７は、受信機１０２が高線形性モード１２６から低線形性モード１２８へ移行する際に、受信機１０２の少なくともいくつかの要素が、どのようにして高電圧電源４７６から低電圧電源４７８に切り替え得るか、を示す例を例示する。図７の例はまた、送信機１０４が高電力モード１４８から低電力モード１５０へ移行する際に、送信機１０４の少なくともいくつかの要素が、どのようにして高電圧電源４７６から低電圧電源４７８に切り替え得るか、を示す例を例示する。
【００７８】
第１モード切り替え電源（switched-mode power supply：ＳＭＰＳ）７８８は、第１低ドロップアウトレギュレータ（low drop-out regulator：ＬＤＯ）７９０に接続されている。第２ＳＭＰＳ７９２は、第２低ドロップアウトレギュレータ（low drop-out regulator：ＬＤＯ）７９４に接続される。第１ＳＭＰＳ７８８は第２ＳＭＰＳ７９２よりも低い電圧を有し、第１ＬＤＯ７９０は第２ＬＤＯ７９４より低い電圧を有する。
【００７９】
受信機１０２が高線形性モードにある際、スイッチ７９６は、受信機１０２の電圧制御発振器（ＶＣＯ）によって使用される電源７９１を、第２（より高い電圧の）ＬＤＯ７９４に接続する。しかしながら、受信機１０２が低線形性モードにある際には、スイッチ７９６は、ＶＣＯ電源７９１を第１（より低い電圧の）ＬＤＯ７９０に接続する。
【００８０】
同様にして、送信機１０４が高電力モードにある際、スイッチ７９７は、送信機１０４によって使用される電源７９３を、第２（より高い電圧の）ＬＤＯ７９４に接続する。しかしながら、送信機１０４が低電力モードにある際には、スイッチ７９７は、電源７９３を第１（より低い電圧の）ＬＤＯ７９０に接続する。
【００８１】
送信機１０４が高電力モードにある際、スイッチ７９８は、送信機１０４のＶＣＯによって使用される電源７９５を、第２（より高い電圧の）ＬＤＯ７９４に接続する。しかしながら、送信機１０４が低電力モードにある際には、スイッチ７９８は、電源７９５を第１（より低い電圧の）ＬＤＯ７９０に接続する。
【００８２】
図８は、本開示に従った電源低減スキームの例を例示する。より具体的には、図８は、受信機１０２が高線形性モードから低線形性モードへ移行する際に、受信機１０２によって使用される電源の電圧が、どのようにして低減され得るか、を示す例を例示する。図８の例はまた、送信機１０４が高電力モードから低電力モードへ移行する際に、送信機１０４によって使用される電源の電圧が、どのようにして低減され得るか、を例示する。
【００８３】
スイッチ７９６、７９７、及び７９８は、図７に関して上記説明したのと同じようにして動作し得る。しかしながら、更に、第１ＳＭＰＳ７８８の電圧、第１ＬＤＯ７９０の電圧、第２ＳＭＰＳ７９２の電圧、及び第２ＬＤＯ７９４の電圧もまた低減され得る。
【００８４】
図９は、無線デバイス９０２で使用され得る種々の要素を例示する。無線デバイス９０２は、本明細書で述べられた方法を実装するように実装される送受信機を含み得るデバイスの例である。無線デバイス９０２は、基地局または移動局であり得る。
【００８５】
無線デバイス９０２は、無線デバイス９０２の動作を制御するプロセッサ９０４を含み得る。このプロセッサ９０４はまた、中央処理装置（ＣＰＵ）とも呼ばれ得る。メモリ９０６は、読み出し専用メモリ（ＲＯＭ）及びランダムアクセスメモリ（ＲＡＭ）の両方を含んでよく、命令及びデータをプロセッサ９０４へ供給する。メモリ９０６の一部はまた、不揮発性ランダムアクセスメモリ（ＮＶＲＡＭ）を含んでもよい。プロセッサ９０４は一般的に、メモリ９０６に記憶されたプログラム命令に基づく論理及び算術演算を実行する。メモリ９０６内の命令は、本明細書で述べられた方法を実施するように実行可能であり得る。
【００８６】
無線デバイス９０２はまた、無線デバイス９０２とリモートロケーションとの間のデータ送受信を可能とするため、送信機９１０及び受信機９１２を含み得るハウジング９０８を含み得る。送信機９１０及び受信機９１２は、送受信機９１４に一体化されてもよい。送受信機９１４は、本明細書で述べられた電力削減技術を実施するように構成され得る。アンテナ９１６はハウジング９０８に取り付けられ、送受信機９１４に電気的に結合され得る。無線デバイス９０２はまた、複数の送受信機、複数の受信機、複数の送受信機、及び／または複数のアンテナを含んでもよい（図示せず）。
【００８７】
無線デバイス９０２はまた、送受信機９１４で受信された信号のレベルを検出して定量化するために使用され得る信号検出器９１８を含み得る。信号検出器９１８は、総エネルギー、疑似ノイズ（pseudonoise：ＰＮ）チップ毎のパイロットエネルギー、電力スペクトル密度、及びその他の信号のような信号を検出し得る。無線デバイス９０２はまた、信号処理で使用するためデジタルシグナルプロセッサ（ＤＳＰ）９２０を含み得る。
【００８８】
無線デバイス９０２の種々の要素は、データバスに加えて、電力バス、制御信号バス、及びステータス信号バスを含み得るバスシステム９２２によって互いに結合され得る。しかしながら、明確化のため、この種々のバスは図９ではバスシステム９２２として例示されている。
【００８９】
本明細書で使用する際、用語“判断すること”は、幅広いバリエーションの動作を包含し、従って“判断すること”は、計算すること（calculating）、コンピュータで計算すること（computing）、処理すること（processing）、導くこと（deriving）、調査すること（investigating）、検索すること（looking up）（たとえば、表、データベース、またはその他のデータ構造を検索すること）、確かめること（ascertaining）などを含むことができる。また“判断すること”は、受信すること（receiving）（たとえば情報を受信すること）、アクセスすること（accessing）（たとえばメモリのデータにアクセスすること）などを含むことができる。また“判断すること”は、解明すること（resolving）、選択すること（selecting、choosing）、確立すること（establishing）などを含むことができる。
【００９０】
フレーズ“基づいて”は、特別な明示が無い限り、“それにのみ基づく”ことを意味しない。言い換えれば、フレーズ“基づいて”は、“それにのみ基づく”及び“少なくともそれに基づく”の両方を表現する。
【００９１】
上記で議論されたように、本開示に関連して述べた種々の例示の論理ブロック、モジュール、及び回路は、特定用途向け集積回路（ＡＳＩＣ）で実装され得る。あるいは、本明細書で述べた論理ブロック、モジュール、及び回路は、フィールドプログラマブルゲートアレイ（ＦＰＧＡ）、または他のプログラマブル論理デバイス、ディスクリートゲートまたはトランジスタ論理、ディスクリートハードウェア部品、汎用プロセッサ、デジタルシグナルプロセッサ（ＤＳＰ）、または本明細書で述べた機能を実行するように設計されたそれらのあらゆる組合せによって実装または実行され得る。汎用プロセッサは、マイクロプロセッサであって良いが、これに代るものでは、プロセッサはあらゆる市販のプロセッサ、コントローラ、マイクロコントローラ、またはステートマシンであり得る。プロセッサはまた、計算デバイスの組合せ、例えば、ＤＳＰとマイクロプロセッサの組合せ、複数のマイクロプロセッサ、ＤＳＰコアと連係した１つまたはそれ以上のマイクロプロセッサ、または他の任意のそのような構成として実装され得る。
【００９２】
本明細書で述べられたアルゴリズムのステップは、少なくとも部分的にはソフトウェアで実装されるが、ソフトウェアモジュールは、本技術分野で既知のあらゆる形態の記憶媒体内にあってよい。使用できる記憶媒体のいくつかの例は、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭなどを含む。ソフトウェアモジュールは、単一の命令または複数の命令を備え、そして種々のプログラム間及び複数の記憶媒体にわたって、いくつかの異なるコードセグメントで配信され得る。記憶媒体は、プロセッサが記憶媒体から情報を読み出し、そして記憶媒体に情報を書き込むことが可能なように、プロセッサに結合され得る。あるいは、記憶媒体はプロセッサと一体化されてもよい。
【００９３】
本明細書で開示された方法は、述べられた方法を得るための一つまたはそれ以上の動作またはステップを備える。このステップ及び／または動作は、特許請求の範囲から逸脱することなく、互いに入れ替えることができる。言い換えれば、ステップまたは動作の特定の順序が指定されていなければ、順序、及び／または特定のステップ及び／または動作の使用は、特許請求の範囲から逸脱することなく変形され得る。
【００９４】
述べられた機能は、ハードウェア、ソフトウェア、ファームウェア、またはその任意の組合せで実装され得る。ソフトウェアで実装される場合、それらの機能は１つまたはそれ以上の命令として、コンピュータ読み取り可能な媒体に記憶される。コンピュータ読み取り可能な媒体は、コンピュータによってアクセスされ得る、あらゆる利用可能な媒体であり得る。例として、これに限定するもので無いものとして、コンピュータ読み取り可能な媒体は、ＲＡＭ、ＲＯＭ、ＥＥＰＲＯＭ、ＣＤ−ＲＯＭまたはその他の光ディスク記憶装置、磁気ディスク記憶装置または他の磁気記録デバイス、または命令またはデータ構造の形で所望のプログラムコードを搬送または保持するために使用され、そしてコンピュータによってアクセスできる他の任意の媒体を含むことが出来る。本明細書で使用されるディスク（disk and disc）は、コンパクトディスク（ＣＤ）、レーザーディスク（登録商標）、光学ディスク、デジタルバーサタイルディスク（ＤＶＤ）、フロッピー（登録商標）ディスク、及びブルーレイ（登録商標）ディスクを含み、ディスク（disk）は、一般的に磁気によってデータを再生し、ディスク（disc）はレーザによって光学的にデータを再生する。
【００９５】
ソフトウェアまたは命令はまた、伝送媒体を介して伝送され得る。例えば、そのソフトウェアが同軸ケーブル、光ファイバケーブル、ツイストペア、デジタル加入者回線（ＤＳＬ）、或いは赤外線、無線、及びマイクロ波といった無線技術を使用してウェブサイト、サーバ、または他の遠隔源から送信されるならば、この同軸ケーブル、光ファイバケーブル、ツイストペア、ＤＳＬ、或いは赤外線、無線、及びマイクロ波といった無線技術は、伝送媒体の定義に含まれる。
【００９６】
特許請求の範囲が、上記で例示されたまさにその構成及び要素に限定されないことが理解される。種々の変形、変更、及びバリエーションが、特許請求の範囲から逸脱することなく、本明細書で述べられたアレンジメント、動作、並びにシステム、方法、及び装置の詳細についてなされ得る。
以下に、本願の出願当初の特許請求の範囲を付記する。
[1]受信機において電力削減を達成する集積回路であって、
干渉レベルを判断する妨害波検出器（jammer detector）と、
前記受信機内の要素のプロセスコーナーを判断するプロセスモニタと、前記受信機の温度を判断する温度モニタとの少なくともいずれか一方と、
動作条件の組が満たされた場合に、前記受信機を高線形性モードから低線形性モードに移行させるステートマシンと
を備え、前記動作条件の組は、前記干渉レベルと、前記受信機内の前記要素の前記プロセスコーナーと前記受信機の温度との少なくともいずれか一方と、に依存する集積回路。
[2]前記動作条件の組は、前記干渉レベルが閾値より小さいことという第１動作条件と、
前記受信機の前記要素が、定義された標準的／高速のプロセスコーナーの範囲内にあるプロセスコーナーに対応すること、及び前記受信機の温度が、定義された通常温度範囲内にあること、の少なくともいずれか一方が真（true）である、という第２動作条件とを備える[1]の集積回路。
[3]前記ステートマシンは、前記受信機が前記高線形性モードから前記低線形性モードへ移行する際に、前記受信機の少なくともいくつかの要素内の電流を低減する電流低減要素を備える、[1]の集積回路。
[4]前記ステートマシンは、前記受信機が前記高線形性モードから前記低線形性モードへ移行する際に、前記受信機の少なくともいくつかの要素を、高電圧電源から低電圧電源に切り替える電源切り替え要素を備える、[1]の集積回路。
[5]前記ステートマシンは、前記受信機が前記高線形性モードから前記低線形性モードへ移行する際に、前記受信機によって使用される少なくとも一つの電源の電圧を低減する電源再設定要素を備える、[1]の集積回路。
[6]送信機において電力削減を達成する集積回路であって、
送信信号についての必要な送信電力レベルを判断する送信電力検出器と、
前記送信機内の要素のプロセスコーナーを判断するプロセスモニタと、前記送信機の温度を判断する温度モニタとの少なくともいずれか一方と、
動作条件の組が満たされた場合に、前記送信機を高電力モードから低電力モードに移行させるステートマシンと
を備え、前記動作条件の組は、前記必要な送信電力レベルと、前記送信機内の前記要素の前記プロセスコーナーと前記送信機の温度との少なくともいずれか一方と、に依存する集積回路。
[7]前記動作条件の組は、前記必要な送信電力レベルが閾値より小さいことという第１動作条件と、
前記送信機の前記要素が、定義された標準的／高速のプロセスコーナーの範囲内にあるプロセスコーナーに対応すること、及び前記送信機の温度が、定義された通常温度範囲内にあること、の少なくともいずれか一方が真（true）である、という第２動作条件とを備える[6]の集積回路。
[8]前記ステートマシンは、前記送信機が前記高電力モードから前記低電力モードへ移行する際に、前記送信機の少なくともいくつかの要素内の電流を低減する電流低減要素を備える、[6]の集積回路。
[9]前記ステートマシンは、前記送信機が前記高電力モードから前記低電力モードへ移行する際に、前記送信機の少なくともいくつかの要素を、高電圧電源から低電圧電源に切り替える電源切り替え要素を備える、[6]の集積回路。
[10]前記ステートマシンは、前記送信機が前記高電力モードから前記低電力モードへ移行する際に、前記送信機によって使用される少なくとも一つの電源の電圧を低減する電源再設定要素を備える、[6]の集積回路。
[11]受信機において電力削減を達成する方法であって、
干渉レベルを判断することと、
前記受信機内の要素のプロセスコーナーを判断することと、前記受信機の温度を判断することの少なくともいずれか一方と、
動作条件の組が満たされた場合に、前記受信機を高線形性モードから低線形性モードへ移行させることと
を備え、前記動作条件の組は、前記干渉レベルと、前記受信機内の前記要素の前記プロセスコーナーと前記受信機の温度との少なくともいずれか一方と、に依存する方法。
[12]前記動作条件の組は、前記干渉レベルが閾値より小さいことという第１動作条件と、
前記受信機の前記要素が、定義された標準的／高速のプロセスコーナーの範囲内にあるプロセスコーナーに対応すること、及び前記受信機の温度が、定義された通常温度範囲内にあること、の少なくともいずれか一方が真（true）である、という第２動作条件とを備える[11]の方法。
[13]前記受信機を前記高線形性モードから前記低線形性モードへ移行させることは、前記受信機の少なくともいくつかの要素内の電流を低減することを備える、[11]の方法。
[14]前記受信機を前記高線形性モードから前記低線形性モードへ移行させることは、前記受信機の少なくともいくつかの要素を、高電圧電源から低電圧電源に切り替えることを備える、[11]の方法。
[15]前記受信機を前記高線形性モードから前記低線形性モードへ移行させることは、前記受信機によって使用される少なくとも一つの電源の電圧を低減することを備える、[11]の方法。
[16]送信機において電力削減を達成する方法であって、
送信信号についての必要な送信電力レベルを判断することと、
前記送信機内の要素のプロセスコーナーを判断することと、前記送信機の温度を判断することの少なくともいずれか一方と、
動作条件の組が満たされた場合に、前記送信機を高電力モードから低電力モードへ移行させることと
を備え、前記動作条件の組は、前記必要な送信電力レベルと、前記送信機内の前記要素の前記プロセスコーナーと前記送信機の温度との少なくともいずれか一方と、に依存する方法。
[17]前記動作条件の組は、前記必要な送信電力レベルが閾値より小さいことという第１動作条件と、
前記送信機の前記要素が、定義された標準的／高速のプロセスコーナーの範囲内にあるプロセスコーナーに対応すること、及び前記送信機の温度が、定義された通常温度範囲内にあること、の少なくともいずれか一方が真（true）である、という第２動作条件とを備える[16]の方法。
[18]前記高電力モードから前記低電力モードへ移行させることは、前記送信機の少なくともいくつかの要素内の電流を低減することを備える、[16]の方法。
[19]前記高電力モードから前記低電力モードへ移行させることは、前記送信機の少なくともいくつかの要素を、高電圧電源から低電圧電源に切り替えることを備える、[16]の方法。
[20]前記高電力モードから前記低電力モードへ移行させることは、前記送信機によって使用される少なくとも一つの電源の電圧を低減することを備える、[16]の方法。
[21]受信機において電力削減を達成する装置であって、
干渉レベルを判断する手段と、
前記受信機内の要素のプロセスコーナーを判断する手段と、前記受信機の温度を判断する手段との少なくともいずれか一方と、
動作条件の組が満たされた場合に、前記受信機を高線形性モードから低線形性モードへ移行させる手段と
を備え、前記動作条件の組は、前記干渉レベルと、前記受信機内の前記要素の前記プロセスコーナーと前記受信機の温度との少なくともいずれか一方と、に依存する装置。
[22]前記動作条件の組は、前記干渉レベルが閾値より小さいことという第１動作条件と、
前記受信機の前記要素が、定義された標準的／高速のプロセスコーナーの範囲内にあるプロセスコーナーに対応すること、及び前記受信機の温度が、定義された通常温度範囲内にあること、の少なくともいずれか一方が真（true）である、という第２動作条件とを備える[21]の装置。
[23]前記受信機を前記高線形性モードから前記低線形性モードへ移行させる手段は、前記受信機の少なくともいくつかの要素内の電流を低減する手段を備える、[21]の装置。
[24]前記受信機を前記高線形性モードから前記低線形性モードへ移行させる手段は、前記受信機の少なくともいくつかの要素を、高電圧電源から低電圧電源に切り替える手段を備える、[21]の装置。
[25]前記受信機を前記高線形性モードから前記低線形性モードへ移行させる手段は、前記受信機によって使用される少なくとも一つの電源の電圧を低減する手段を備える、[21]の装置。
[26]前記装置は集積回路である、[21]の装置。
[27]送信機において電力削減を達成する装置であって、
送信信号についての必要な送信電力レベルを判断する手段と、
前記送信機内の要素のプロセスコーナーを判断する手段と、前記送信機の温度を判断する手段との少なくともいずれか一方と、
動作条件の組が満たされた場合に、前記送信機を高電力モードから低電力モードへ移行させる手段と
を備え、前記動作条件の組は、前記必要な送信電力レベルと、前記送信機内の前記要素の前記プロセスコーナーと前記送信機の温度との少なくともいずれか一方と、に依存する装置。
[28]前記動作条件の組は、前記必要な送信電力レベルが閾値より小さいことという第１動作条件と、
前記送信機の前記要素が、定義された標準的／高速のプロセスコーナーの範囲内にあるプロセスコーナーに対応すること、及び前記送信機の温度が、定義された通常温度範囲内にあること、の少なくともいずれか一方が真（true）である、という第２動作条件とを備える[27]の装置。
[29]前記高電力モードから前記低電力モードへ移行させる手段は、前記送信機の少なくともいくつかの要素内の電流を低減する手段を備える、[27]の装置。
[30]前記高電力モードから前記低電力モードへ移行させる手段は、前記送信機の少なくともいくつかの要素を、高電圧電源から低電圧電源に切り替える手段を備える、[27]の装置。
[31]前記高電力モードから前記低電力モードへ移行させる手段は、前記送信機によって使用される少なくとも一つの電源の電圧を低減する手段を備える、[27]の装置。
[32]前記装置は集積回路である、[27]の装置。
[33]受信機において電力削減を達成するコンピュータプログラム製品であって、
前記コンピュータプログラム製品は、そこに命令を保持するコンピュータ読み取り可能な媒体を備え、前記命令は、
干渉レベルを判断するためのコードと、
前記受信機内の要素のプロセスコーナーを判断するためのコードと、前記受信機の温度を判断するためのコードとの少なくともいずれか一方と、
動作条件の組が満たされた場合に、前記受信機を高線形性モードから低線形性モードへ移行させるためのコードと
を備え、前記動作条件の組は、前記干渉レベルと、前記受信機内の前記要素の前記プロセスコーナーと前記受信機の温度との少なくともいずれか一方と、に依存するコンピュータプログラム製品。
[34]送信機において電力削減を達成するコンピュータプログラム製品であって、
前記コンピュータプログラム製品は、そこに命令を保持するコンピュータ読み取り可能な媒体を備え、前記命令は、
送信信号についての必要な送信電力レベルを判断するためのコードと、
前記送信機内の要素のプロセスコーナーを判断するためのコードと、前記送信機の温度を判断するためのコードとの少なくともいずれか一方と、
動作条件の組が満たされた場合に、前記送信機を高電力モードから低電力モードへ移行させるためのコードと
を備え、前記動作条件の組は、前記必要な送信電力レベルと、前記送信機内の前記要素の前記プロセスコーナーと前記送信機の温度との少なくともいずれか一方と、に依存するコンピュータプログラム製品。
【００９７】
特許請求の範囲は次の通りである。
【図１】
0005507550.tif 000002
【図２】
0005507550.tif 000003
【図３】
0005507550.tif 000004
【図４】
0005507550.tif 000005
【図５】
0005507550.tif 000006
【図６】
0005507550.tif 000007
【図７】
0005507550.tif 000008
【図８】
0005507550.tif 000009
【図９】
0005507550.tif 000010